(57)【要約】【課題】本発明は、少なくとも２種類の前置レンズを入れ替えることができ、執刀医、助手等の手が接触することなく、眼科用顕微鏡の視界にも入ることがないような、前置レンズ装置を開発することを目的とする。【解決手段】  本発明は、被検眼（１１）を観察する観察光学系を有する眼科用顕微鏡（２）に用いる前置レンズ装置（１）において、  前記観察光学系の光軸（Ｏ−３００）と略平行な回転軸を中心に回転する前置レンズ支持体（５）と、前記前置レンズ支持体（５）に取り付けた複数の前置レンズ（６０１，６０２，６０３）とを有し、  前記前置レンズ支持体（５）を回転させることにより、前記観察光学系の光路上に挿入される前置レンズ（６０１，６０２，６０３）を入れ替えることができることを特徴とする前置レンズ装置（１）を提供する。【選択図】  図１
2019066810.tif 000002
【特許請求の範囲】
【請求項１】
被検眼を観察する観察光学系を有する眼科用顕微鏡に用いる前置レンズ装置において、
前記観察光学系の光軸と略平行な回転軸を中心に回転する前置レンズ支持体と、前記前置レンズ支持体を回転させる駆動部と、前記前置レンズ支持体に取り付けた少なくとも２つの前置レンズとを有し、
前記前置レンズ支持体を回転させることにより、前記観察光学系の光路上に挿入される前置レンズを入れ替えることができる
ことを特徴とする前置レンズ装置。
【請求項２】
前記前置レンズ支持体上に、回転対称となるように、３又は４個の前記前置レンズが取り付けられていることを特徴とする、請求項１に記載の前置レンズ装置。
【請求項３】
前記前置レンズが、それぞれ前記眼科用顕微鏡の対物レンズとの距離が異なるように、前記レンズ支持体に取り付けられていることを特徴とする、請求項１又は２に記載の前置レンズ装置。
【請求項４】
前記前置レンズが、焦点距離の短いものほど被検眼側に取り付けられていることを特徴とする、請求項３に記載の前置レンズ装置。
【請求項５】
少なくとも２つの前記前置レンズについて、前記前置レンズの焦点距離の長さの違いの分だけ前記観察光学系の光軸方向の位置をずらして、前記前置レンズを配置することを特徴とする、請求項４に記載の前置レンズ装置。
【請求項６】
被検眼を観察する観察光学系を有する眼科用顕微鏡において、
請求項１〜５のいずれか１項に記載の前置レンズ装置を有することを特徴とする眼科用顕微鏡。
【請求項７】
前記観察光学系の光軸上に挿脱可能で、前記観察光学系の対物レンズよりも被検眼側にある焦点位置を調整するために使用する対物補助レンズを有することを特徴とする、請求項６に記載の眼科用顕微鏡。
【請求項８】
前記対物補助レンズが、マイナスのパワーを有するレンズであることを特徴とする、請求項７に記載の眼科用顕微鏡。
【請求項９】
前記前置レンズの挿入又は離脱に連動して、前記対物補助レンズを挿入又は離脱する切り替え機構を有することを特徴とする、請求項７又は８に記載の眼科用顕微鏡。
【請求項１０】
前記前置レンズの数がｎ個（ｎ≧２）である場合に、少なくともｎ個の対物補助レンズを有する、請求項７〜９のいずれか１項に記載の眼科用顕微鏡。
【発明の詳細な説明】
【技術分野】
【０００１】
本発明は、被検眼を拡大して観察する眼科用顕微鏡、及び眼科用顕微鏡の対物レンズと被検眼の間に前置レンズを挿脱する前置レンズ装置に関する。
本発明は、特に、２つ以上の前置レンズを入れ替えることができる機構を備えた前置レンズ装置、及び当該前置レンズ装置を有する眼科用顕微鏡に関する。
【背景技術】
【０００２】
眼科用顕微鏡は、レンズ等からなる観察光学系により患者の被検眼を拡大して観察することができる医療用又は検査用の機器である。
眼科用顕微鏡には、前眼部（例えば角膜、前嚢、強膜等）を観察する機能と、後眼部（例えば網膜）を観察する機能とを備えるものがある。この種の眼科用顕微鏡では、対物レンズと被検眼の間の観察光学系の光路上に前置レンズを挿脱して、前眼部観察と後眼部観察とを切り替えることができる。
【０００３】
前眼部観察に際しては図１２（Ａ）に示すように、観察光学系の対物レンズ１３よりも被検眼１１側にある焦点位置（前側焦点位置）Ｕ０に、被検眼１１の前眼部が位置するように、対物レンズ１３と被検眼１１の間の距離Ｈ２を設定する。観察光学系の対物レンズ１３からの焦点距離をＦ１とすると、Ｈ２＝Ｆ１となる。
一方、後眼部観察に際しては図１２（Ｂ）に示すように、対物レンズ１３と被検眼１１との間の距離Ｈ２´をより長く設定し、前側焦点位置Ｕ０と被検眼１１との間に前置レンズ６を配置する。前置レンズ６は、観察光学系の光を平行光として被検眼の水晶体１１ｂに導き、水晶体１１ｂを介して網膜１１ａに焦点を結ぶように配置される。前置レンズ６の焦点距離をＦ２とすると、典型的には、Ｈ２´≒Ｆ１＋２×Ｆ２である。
【０００４】
前置レンズを光路上に挿脱可能に支持する前置レンズ装置としては、各種方式のものが開発されている。
例えば、前置レンズを保持アームによって保持し、旋回軸を中心に保持アームを旋回させることにより、前置レンズを観察光学系の光路上に挿入し、また離脱させることができる前置レンズ装置が開発されている（特許文献１［００２７］〜［００３２］）。保持アームには、さらにルーペ保持機構を設けることができ、ルーペを観察光学系の光路上に挿脱して、被検眼における焦点位置を調整することもできる（特許文献１［００７１］〜［００７７］）。
また、眼科用顕微鏡の観察光学系の光軸に対して傾いた回転軸を中心に回転するレンズ受け部に、屈曲したレンズホルダを介して、２つの前置レンズを取り付けたリボルバ方式の前置レンズ装置が開発されている。この前置レンズ装置は、観察光学系の光路上で、２つの前置レンズを入れ替えることができる（特許文献２［０１２０］）。
【０００５】
このように、従来の前置レンズ装置では、保持される前置レンズは通常１個、多くて２個であり、屈折力の異なる前置レンズを使用するためには、人手により前置レンズを取り替える必要があるものであった。
【先行技術文献】
【特許文献】
【０００６】
【特許文献１】特開２００３−０６２００３号公報
【特許文献２】特開２００９−２０５１５６号公報
【発明の概要】
【発明が解決しようとする課題】
【０００７】
眼科用顕微鏡は、手術に用いる際には、少なくとも２種類の前置レンズを用いることが一般的である。従来、２種類の前置レンズは、助手等が手動により取り替えを行う必要があり煩雑であったため、簡易に前置レンズを入れ替えることができる前置レンズ装置の開発が望まれていた。
しかしながら、眼科用顕微鏡を手術に用いる際には、執刀医のみならず、助手等が共同で患者の被検眼の手術を行うため、被検眼の近くで作業する執刀医と助手等の手に接触することなく、かつ眼科用顕微鏡の観察視野内に入ることのないように、２種類の前置レンズを配置しなければならないという問題があった。
特に、特許文献２に記載のリボルバ方式の前置レンズ装置のように、観察光学系の光軸に対して、相当に傾斜した回転軸を中心にレンズ受け部を回転させる方式では、３つ以上の前置レンズを取り付けた場合には、使用していない前置レンズも眼科用顕微鏡の観察視野内に入ってしまう恐れがあるものであった。
また、特許文献２に記載のリボルバ方式の前置レンズ装置は、前置レンズの入れ替えはすべて手動で行う必要があり、観察光学系の光軸上に前置レンズを正確に合わせるのは容易でなく、特に前眼部（例えば角膜、前嚢、強膜等）と後眼部（例えば網膜）を交互に見たい場合は、手術中の時間ロスが発生するものであった。
【０００８】
そこで、本発明は、前記従来の状況に鑑み、少なくとも２種類の前置レンズを入れ替えることができ、執刀医、助手等の手が接触することなく、眼科用顕微鏡の視界にも入ることがなく、前置レンズを観察光学系の光軸上に正確に配置することが容易な、前置レンズ装置を開発することを目的とする。
【課題を解決するための手段】
【０００９】
前記課題を解決するため、本願の発明者らは鋭意研究した結果、少なくとも２つの前置レンズを取り付けた前置レンズ支持体を、眼科用顕微鏡の観察光学系の光軸に対して略平行な回転軸を中心に、駆動部によって回転させることで、前置レンズが、執刀医、助手等の手に接触することや、眼科用顕微鏡の視野に入ることを防ぐことができ、さらに、観察光学系の光軸上に前置レンズを正確に配置することが容易となることを見出し、本発明を完成するに至った。
【００１０】
すなわち、本発明は、前置レンズ装置に関する下記の第１の発明と、眼科用顕微鏡に関する下記の第２の発明を提供する。
（１）  第１の発明は、被検眼を観察する観察光学系を有する眼科用顕微鏡に用いる前置レンズ装置において、
前記観察光学系の光軸と略平行な回転軸を中心に回転する前置レンズ支持体と、前記前置レンズ支持体を回転させる駆動部と、前記前置レンズ支持体に取り付けた少なくとも２つの前置レンズとを有し、
前記前置レンズ支持体を回転させることにより、前記観察光学系の光路上に挿入される前置レンズを入れ替えることができることを特徴とする前置レンズ装置に関する。
（２）  第１の発明の前置レンズ装置においては、前記前置レンズ支持体上に、回転対称となるように、３又は４個の前記前置レンズが取り付けられていることが好ましい。
（３）  前記いずれかの前置レンズ装置においては、前記前置レンズが、それぞれ前記眼科用顕微鏡の対物レンズとの距離が異なるように、前記レンズ支持体に取り付けられていることが好ましい。
（４）  前記（３）の場合には、前記前置レンズが、焦点距離の短いものほど被検眼側に取り付けられていることが好ましい。
（５）  前記（４）の場合には、少なくとも２つの前記前置レンズについて、前記前置レンズの焦点距離の長さの違いの分だけ前記観察光学系の光軸方向の位置をずらして、前記前置レンズを配置することが好ましい。
（６）  第２の発明は、被検眼を観察する観察光学系を有する眼科用顕微鏡において、前記いずれかの前置レンズ装置を有することを特徴とする眼科用顕微鏡に関する。
（７）  第２の発明の眼科用顕微鏡においては、前記観察光学系の光軸上に挿脱可能で、前記観察光学系の対物レンズよりも被検眼側にある焦点位置を調整するために使用する対物補助レンズを有することが好ましい。
（８）  前記（７）の眼科用顕微鏡においては、前記対物補助レンズが、マイナスのパワーを有するレンズであることが好ましい。
（９）  前記（７）又は（８）の眼科用顕微鏡においては、前記前置レンズの挿入又は離脱に連動して、前記対物補助レンズを挿入又は離脱する切り替え機構を有することが好ましい。
（１０）  前記（７）〜（９）のいずれかの眼科用顕微鏡においては、前記前置レンズの数がｎ個（ｎ≧２）である場合に、少なくともｎ個の対物補助レンズを有することが好ましい。
【発明の効果】
【００１１】
第１の発明の前置レンズ装置及び第２の発明の眼科用顕微鏡によれば、前置レンズ支持体が観察光学系の光軸と略平行な回転軸を中心に回転するため、観察光学系の光路上から離脱した前置レンズが、観察光学系の光路から十分な距離を確保して離れることができる。これにより、前置レンズが、執刀医や助手等の作業する手が接触してしまうことや、眼科用顕微鏡の観察視野内に入ってしまうことを効果的に抑制しつつ、２つの以上の前置レンズを入れ替え可能に配置することができる。さらに、前置レンズ支持体の回転を、手動ではなく駆動部により行うため、観察光学系の光軸上に前置レンズを正確に配置することが容易となる。
【図面の簡単な説明】
【００１２】
【図１】本発明の第１の実施形態の前置レンズ装置及び眼科用顕微鏡を模式的に示す斜視図である。
【図２】第１の実施形態に使用される前置レンズ支持体を模式的に示す平面図である。図２（Ａ）は、図１に示した前置レンズ支持体と同一の前置レンズ支持体の平面図を示し、図２（Ｂ）は、前置レンズを２個保持する前置レンズ支持体の平面図を示し、（Ｃ）は前置レンズを４個保持する前置レンズ支持体の平面図を示し、（Ｄ）は、前置レンズを６個保持する前置レンズ支持体の平面図を示す。
【図３】本発明の第２の実施形態の前置レンズ装置及び眼科用顕微鏡を模式的に示す斜視図である。
【図４】前置レンズを挿脱して前眼部観察と後眼部観察を切り替えたときの、対物レンズと被検眼との距離の関係を示す模式図である。図４（Ａ）は、前眼部観察を行う際の位置関係を示し、図４（Ｂ）は、後眼部観察を行う際の位置関係を示し、図４（Ｃ）は、対物補助レンズを使用して前眼部観察を行う際の位置関係を示す。
【図５】前置レンズの屈折力が異なる場合における、対物レンズと被検眼との距離の関係を示す模式図である。図５（Ａ）は、屈折力がＤの前置レンズを使用する場合の位置関係を示し、図５（Ｂ）は、屈折力がＤ´´の前置レンズを使用する場合の位置関係を示し、図５（Ｃ）は、屈折力がＤ´´の前置レンズと対物補助レンズを使用する場合の位置関係を示す。
【図６】本発明の第３の実施形態の眼科用顕微鏡において、前眼部を観察する際の光学系の構成を模式的に示す側面図である。
【図７】本発明の第３の実施形態の眼科用顕微鏡において、前眼部を観察する際の光学系の構成を模式的に示す正面図である。
【図８】前眼部を観察する際の対物補助レンズの配置を模式的に示す斜視図である。図８（Ａ）は、本発明の第３の実施形態の眼科用顕微鏡における対物補助レンズの配置を示し、図８（Ｂ）は、対物補助レンズを対物レンズの被検眼側とは反対側に設ける場合の配置を示す。
【図９】本発明の第３の実施形態の眼科用顕微鏡において、後眼部を観察する際の光学系の構成を模式的に示す側面図である。
【図１０】本発明の第３の実施形態の眼科用顕微鏡において、後眼部を観察する際の光学系の構成を模式的に示す正面図である。
【図１１】後眼部を観察する際の対物補助レンズの配置を模式的に示す斜視図である。図１１（Ａ）は、本発明の第３の実施形態の眼科用顕微鏡における対物補助レンズの配置を示し、図１１（Ｂ）は、対物補助レンズを対物レンズの被検眼側とは反対側に設ける場合の配置を示す。
【図１２】前置レンズを挿脱して前眼部観察と後眼部観察を切り替えたときの、対物レンズと被検眼との距離の関係を示す模式図である。
【発明を実施するための形態】
【００１３】
１．  前置レンズ装置
本発明の前置レンズ装置は、被検眼を観察する観察光学系を有する眼科用顕微鏡に用いる前置レンズ装置に関するものであり、
前記観察光学系の光軸と略平行な回転軸を中心に回転する前置レンズ支持体と、前記前置レンズ支持体に取り付けた少なくとも２つの前置レンズとを有し、
前記前置レンズ支持体を回転させることにより、前記観察光学系の光路上に挿入される前置レンズを入れ替えることができることを特徴とする。
【００１４】
本発明の前置レンズ装置では、前置レンズ支持体が、観察光学系の光軸と略平行な回転軸を中心に回転する。このため、観察光学系の光路上から離脱した前置レンズが、観察光学系の光路から十分な距離を確保して離れることができる。これにより、前置レンズが、執刀医と助手等の作業する手が接触してしまうことや、眼科用顕微鏡の観察視野内に入ってしまうことを効果的に抑制することが可能となる。
そして、本発明の前置レンズ装置は、前置レンズ支持体に少なくとも２つの前置レンズを取り付けることにより、２つ以上の前置レンズを入れ替え可能に配置することができる。
さらに、本発明の前置レンズ装置は、前置レンズ支持体の回転を、手動ではなく駆動部により行うため、観察光学系の光軸上に前置レンズを正確に配置することが容易となる。
【００１５】
一方、特許文献２に記載された従来技術の前置レンズ装置のように、観察光学系の光軸に対して、相当に傾斜した回転軸を中心に前置レンズを回転させる方式では、３つ以上の前置レンズを取り付けた場合には、使用していない少なくとも２つの前置レンズが、観察光学系の光路から十分な距離を確保して離れることができないため、眼科用顕微鏡の観察視野内に入ってしまう恐れがあった。また、使用していない前置レンズが観察視野内に入らないように、回転軸と前置レンズとの間の連結部材を長くすると、前置レンズ装置が被検眼の周囲において大きな空間を占めてしまい、被検眼の近くで作業している執刀医と助手等の手が前置レンズに接触してしまう恐れが高くなるものであった。また、特許文献２に記載のリボルバ方式の前置レンズ装置は、前置レンズの入れ替えはすべて手動で行う必要があり、観察光学系の光軸上に前置レンズを正確に合わせるのは容易でなかった。
【００１６】
本発明において、前置レンズ支持体の回転軸が「観察光学系の光軸と略平行」であるとは、観察光学系の光軸と完全に平行であるか、傾斜角が１５°の範囲内で略平行となっていることをいう。好ましくは、前置レンズ支持体の回転軸は、観察光学系の回転軸に対して完全に平行であるか、傾斜角が５°の範囲内で略平行とするのがよい。
本発明において、「回転軸」とは、回転軸となる軸状の部材が存在していてもよいが、実際には軸状の部材がなくとも、回転の中心となる観念的な軸が存在すればよい。
以下、本発明の実施形態の１つの例を、図面を参照しながら詳細に説明する。
【００１７】
＜第１の実施形態＞
図１及び２は、本発明の第１の実施形態を模式的に示す図面である。
図１は、本発明の第１の実施形態の前置レンズ装置及び眼科用顕微鏡の斜視図を示す。
図２は、本発明の第１の実施形態の前置レンズ装置で使用される前置レンズ支持体の平面図を示す。
図１に示されるように、前置レンズ装置１は、回転アーム４と、回転アーム４を中心に回転する前置レンズ支持体５と、前置レンズ支持体５に回転対称となるように取り付けられた３つの前置レンズ６０１，６０２，６０３を有している。
第１の実施形態では、回転アーム４が、前置レンズ支持体５の回転軸と一致するものとなっている。
前置レンズ６０１は、屈折力が４０Ｄ（ディオプター）の凸レンズであり、前置レンズ６０２は、屈折力が８０Ｄの凸レンズであり、前置レンズ６０３は、屈折力が１２０Ｄの凸レンズである。
【００１８】
回転アーム４は、駆動モータ１００１により回転させることができ、観察光学系の光路上に挿入される前置レンズを入れ替えることができる。図１は、前置レンズ６０１が観察光学系の光路上に挿入されている状態を示す。図１中、観察光学系の光路の中心を通る観察光学系の光軸Ｏ−３００を点線で示す。観察光学系の光路は、前置レンズを透過して、被検眼１１に入射する。
前置レンズ支持体５は、観察光学系の光軸Ｏ−３００と略平行な回転アーム４を中心に回転する。すなわち、前置レンズ支持体５の回転軸は、観察光学系の光軸Ｏ−３００と略平行になっている。このため、図１に示すように、使用していない前置レンズ６０２，６０３が、観察光学系の光軸Ｏ−３００から十分に離れるため、眼科用顕微鏡の観察視野内に入る恐れがない。また、前置レンズ支持体５は、コンパクトな形状とすることができるため、被検眼の近くで作業する執刀医や助手等の手に接触してしまう恐れが小さいものである。
また、前置レンズ支持体５を駆動モータ１００１により回転させるため、観察光学系の光軸Ｏ−３００上に前置レンズ６０１，６０２，６０３を正確に配置することが容易である。
さらに、前置レンズ支持体５の回転軸は、観察光学系の光軸Ｏ−３００と略平行になっているため、図１に示すように、回転軸となる回転アーム４を長くして、回転軸を回転させる駆動部となる駆動モータ１００１を、作業空間から離れた鏡筒１４の近くに配置することが可能となる。
【００１９】
図１に示されるとおり、回転アーム４は、支持アーム１００２によって回転可能に保持されている。支持アーム１００２は、旋回軸１００３を中心に回動可能に、支持ブラケット１００４と連結している。このため、旋回レバー１００５を手動で操作することにより、支持アーム１００２を旋回させることができる。この旋回動作により、前置レンズ支持体５を、観察光学系の光路上から退避させることができる。また、退避させた前置レンズ支持体５を、旋回レバー１００５による操作により、観察光学系の光路上に再度挿入することもできる。
支持ブラケット１００４は、連結アーム１００６を介して、前置レンズ位置調整装置１００７と連結している。前置レンズ位置調整装置１００７は、連結アーム１００６を観察光学系の光軸方向に上下に駆動することにより、前置レンズの上下の位置を制御する。
【００２０】
前置レンズ装置１は、以上のように、回転アーム４、前置レンズ支持体５、前置レンズ６０１，６０２，６０３、駆動モータ１００１、支持アーム１００２、旋回軸１００３、支持ブラケット１００４、旋回レバー１００５、連結アーム１００６、及び前置レンズ位置調整装置１００７からなる。
前置レンズ装置１は、眼科用顕微鏡本体１２に取り付けられている。前置レンズ装置１は、眼科用顕微鏡本体１２に容易に着脱可能となるように、図示しないアタッチメント部を介して取り付けることもできる。
眼科用顕微鏡２は、眼科用顕微鏡本体１２と前置レンズ装置１を含んで構成されている。
眼科用顕微鏡本体１２には、観察光学系のレンズ等の光学素子を収納する鏡筒１４があり、鏡筒１４の最も被検眼１１側には、対物レンズ１３が設置されている。
前置レンズ位置調整装置１００７は、観察光学系の光路上に挿入された前置レンズの焦点距離に応じて、前置レンズと対物レンズ１３との間の距離を調整するために用いることができる。
【００２１】
前置レンズを観察光学系の光路上に挿入すると、被検眼の像が反転して逆像となるため、これを正像に戻すためのレンズユニットが、インバータ部１５に設けられている。このインバータ部１５に設けられるレンズユニットの光学系には、例えば、特公平７−４８０９１号公報に開示のものを用いることができる。レンズユニットは、旋回レバー１００５の操作による前置レンズ支持体５の挿脱と連動して、切り替えレバー１６を手動で操作することで鏡筒内の光路上に挿脱することができる。また、旋回レバー１００５による前置レンズ支持体５の挿脱と連動して図示しないアクチュエータを作動させることにより自動的に鏡筒内の光路上にレンズユニットを挿脱することもできる。
【００２２】
第１の実施形態の前置レンズ装置を使用すれば、例えば、屈折力が４０Ｄである前置レンズ６０１を使用して、執刀医が眼科用顕微鏡２により被検眼内部を観察した場合に、ピントが合わず被検眼内部の像がぼやけてしまったときに、前置レンズを入れ替えることができる。執刀医は、図示しないフットスイッチを使用して駆動モータ１００１を駆動させて、回転アーム４及び前置レンズ支持体５を回転させて、観察光学系の光路に挿入する前置レンズを、屈折力が８０Ｄの前置レンズ６０２に入れ替えることができる。これにより、執刀医は、助手等の力を借りることなく簡便かつ速やかに前置レンズを入れ替えることができ、手術の作業性を向上させることができる。
【００２３】
前置レンズ支持体５は、回転アーム４の先端に着脱することができるため、手術や処置の種類に応じて、複数種類の前置レンズ支持体や、それに取り付けた前置レンズのセットを使い分けることができる。
【００２４】
図２は、第１の実施形態に使用される前置レンズ支持体を模式的に示す平面図である。図２（Ａ）〜（Ｄ）の前置レンズ支持体は、それぞれ、手術や処置の種類に応じて、前置レンズ装置に取り付けて使用される。
図２（Ａ）は、図１に示した前置レンズ支持体と同一の前置レンズ支持体の平面図を示す。
図２（Ａ）に示されるように、前置レンズ支持体５は、回転軸４に対して回転対称（３回対称）となるように、３つの前置レンズ６０１，６０２，６０３を保持しており、前置レンズ支持体５と３つの前置レンズは一体化している。前置レンズ支持体５は、回転軸４の部分において、螺合等により回転アームと連結することが可能である。
前置レンズ支持体５を、回転軸４を中心に回転させることにより、観察光学系の光路を透過する前置レンズを入れ替えることができる。
【００２５】
図２（Ｂ）は、他の前置レンズ支持体の平面図を示す。前置レンズ支持体は、前置レンズ支持枠５１１，５１２と、ジョイント部５２１とからなるものである。
前置レンズ支持枠５１１，５１２は、それぞれ前置レンズ６０１，６０２を保持する環状の枠体部分と、棒状の軸体部分とを有する。ジョイント部５２１は、前置レンズ支持枠の軸体部分を挿入できる仕口を２個有しており、２個の前置レンズ支持枠を、回転対称（２回対称）となるように連結することが可能である。したがって、屈折力がそれぞれ異なる任意の２つの前置レンズをジョイント部５２１に連結して、任意の前置レンズのセットを有する前置レンズ支持体を得ることができる。図２（Ｂ）において符号４で示す部分が、前置レンズ支持体の回転軸となる部分であり、この部分において、螺合等により回転アームと連結することが可能である。
前置レンズ支持体を、回転軸４を中心に回転させることにより、観察光学系の光路を透過する前置レンズを入れ替えることができる。また、観察光学系の光路が２つの前置レンズの間に位置するように回転することにより、前置レンズを観察光学系の光路から簡便に離脱させることも可能である。
【００２６】
図２（Ｃ）は、他の一つの前置レンズ支持体の平面図を示す。前置レンズ支持体は、前置レンズ支持枠５１１，５１２，５１３，５１４と、ジョイント部５２２とからなるものである。
前置レンズ支持枠５１１，５１２，５１３，５１４は、それぞれ前置レンズ６０１，６０２，６０３，６０４を保持する環状の枠体部分と、棒状の軸体部分とを有する。ジョイント部５２２は、前置レンズ支持枠の軸体部分を挿入できる仕口を４個有しており、４個の前置レンズ支持枠を連結することが可能である。
前置レンズ支持体を、回転軸４を中心に回転させることにより、観察光学系の光路を透過する前置レンズを入れ替えることができる。
前置レンズ支持枠は回転対称（４回対称）となるようにジョイント部に連結しているため、いずれの前置レンズが観察光学系の光路上にある場合でも、前置レンズの左右に作業空間を確保することができる。
【００２７】
図２（Ｄ）は、他の一つの前置レンズ支持体の平面図を示す。前置レンズ支持体５は、正六角形をベースとする形状であり、正六角形のそれぞれの辺の部分に前置レンズ６０１〜６０６を保持する枠を有している。これにより、６つの前置レンズを回転軸４に対して回転対称（６回対称）となるように配置することができる。前置レンズ支持体５は、回転軸４の部分において、螺合等により回転アームと連結することが可能である。
前置レンズ支持体５を、回転軸４を中心に回転させることにより、観察光学系の光路を透過する前置レンズを入れ替えることができる。
【００２８】
本発明において、「前置レンズ支持体」は、２個以上の前置レンズを保持し、その回転軸から各前置レンズまでの距離が略等距離なものであれば、どのような形状のものを用いてもよい。前置レンズ支持体は、平面的な形状に限らず、立体的な形状とすることもできる。
【００２９】
前置レンズ支持体は、各前置レンズを回転対称となるように保持する形状とすることが好ましい。前置レンズを回転対称に配置することにより、いずれの前置レンズが観察光学系の光路上にある場合でも、同一の作業空間を確保することが可能となる。
前置レンズを回転対称となるように配置するためには、例えば、図２（Ｄ）に示す前置レンズ支持体のように、正ｎ角形を前置レンズ支持体の形状のベースとし、各辺に前置レンズを保持する枠を設けることで、前置レンズを回転対称に配置することができる。この場合において、正ｎ角形の全ての辺に前置レンズを保持する枠を設けた場合には、回転軸に対してｎ回対称となるように前置レンズを配置することができる。また、正ｎ角形の一部の辺に前置レンズを保持する枠を設けることよっても回転対称とすることができ、例えば、正六角形の６つの辺のうち、１つおきに、３つの辺に前置レンズを保持する枠を設けることで、回転軸に対して３回対称となるように３つの前置レンズを配置することもできる。
【００３０】
前置レンズ支持体は、少なくとも２個以上の前置レンズを保持し、通常は、３〜６個の前置レンズを保持する。前置レンズ支持体をコンパクトとし、広い作業空間を確保するためには、前置レンズ支持体が、回転対称となるように３個又は４個の前置レンズを保持することが好ましい。
【００３１】
前置レンズ支持体は、各前置レンズが、それぞれ眼科用顕微鏡の対物レンズとの距離が異なるように、各前置レンズを保持することができる。
各前置レンズは、それぞれ屈折力が異なり、その焦点距離も異なっている。焦点距離は屈折力（ディオプター）の逆数として求めることができ、例えば、屈折力が４０Ｄの前置レンズの屈折力は、１／４０＝０．０２５ｍであり、屈折力が８０Ｄの前置レンズの屈折力は、１／８０＝０．０１２５ｍであり、屈折力が大きくなるほど焦点距離が短くなる。
したがって、前置レンズの焦点距離に応じて、観察光学系の光路上に挿入された時における対物レンズとの距離が異なるように、前置レンズを配置することが好ましい。
特に、少なくとも２つの前置レンズについて、前置レンズの焦点距離の長さの違いの分だけ観察光学系の光軸方向の位置をずらして、前置レンズを配置することが好ましい。
以下、対物レンズとの距離がそれぞれ異なるように、各前置レンズを配置した実施形態の一つの例を、図面を参照しながら詳細に説明する。
【００３２】
＜第２の実施形態＞
図３は、本発明の第２の実施形態の前置レンズ装置及び眼科用顕微鏡を模式的に示す斜視図である。
図３に示されるように、前置レンズ装置１は、回転アーム４と、回転アーム４を中心に回転する前置レンズ支持体５と、回転軸に対して回転対称となるように前置レンズ支持体５に取り付けられた３つの前置レンズ６０１，６０２，６０３を有している。
３つの前置レンズ６０１，６０２，６０３は、対物レンズ１３との距離がそれぞれ異なるように、前置レンズ支持体５によって保持されている。
【００３３】
回転アーム４は、駆動モータ１００１により回転させることができ、観察光学系の光路上に挿入される前置レンズを入れ替えることができる。第２の実施形態では、回転アーム４が、前置レンズ支持体５の回転軸と一致するものとなっている。
【００３４】
前置レンズ６０１は、屈折力が４０Ｄの凸レンズであり、前置レンズ６０２は、屈折力が８０Ｄの凸レンズであり、前置レンズ６０３は、屈折力が１２０Ｄの凸レンズである。
これらの前置レンズのうち、前置レンズ６０１が最も屈折力が小さいことから焦点距離が最も長い。このため、前置レンズ６０１は、被検眼１１との距離が前置レンズ６０１の焦点距離に近いものとなるように、最も対物レンズ１３側に保持されている。一方、前置レンズ６０３は最も屈折力が大きいことから焦点距離が最も短い。このため、前置レンズ６０３は、被検眼１１との距離が前置レンズ６０３の焦点距離に近いものとなるように、最も被検眼１１側に保持されている。前置レンズ６０２は、前置レンズ６０１と前置レンズ６０３の間の位置に保持されている。
このため、前置レンズ支持体５を回転させて、前置レンズを入れ替えた場合でも、前置レンズと被検眼との距離は、前置レンズの焦点距離に近い状態を維持することができるため、前置レンズの位置調整は、微調整のみで済むこととなる。
前置レンズの位置の微調整は、前置レンズ位置調整装置１００７によって行うことができる。
【００３５】
２．  眼科用顕微鏡
本発明の眼科用顕微鏡は、被検眼を観察する観察光学系を有する眼科用顕微鏡であり、眼科用顕微鏡本体に加えて、前記１．に記載した前置レンズ装置を有することを特徴とする。
本発明において「眼科用顕微鏡」とは、被検眼を拡大して観察することを可能とする光学素子を含む観察光学系を有する医療用又は検査用の機器をいい、ヒト用のみならず動物用のものも含む。「眼科用顕微鏡」には、これらに限定されるわけではないが、例えば、眼底カメラ、スリットランプ、眼科手術用顕微鏡等が含まれる。
【００３６】
眼科用顕微鏡は、さらに照明光学系を有することが好ましく、照明光学系によって照明された被検眼から反射・散乱された戻り光を、観察光学系により拡大して観察することができる。照明光学系は、被検眼を照明するための光学素子を含んで構成されるものである。照明光学系には、さらに光源を含ませることができるが、自然光を被検眼に導くものであってもよい。
本発明における「観察光学系」は、左眼用観察光学系と右眼用観察光学系とに分けて構成することができ、左右の観察光学系により得られる像に視差を生じさせた場合には、双眼視により立体的に観察することも可能となる。
本発明における「観察光学系」は、接眼レンズ等を通じて観察者が直接被検眼を観察できるものであってもよく、また、撮像素子等により受光して画像化することにより観察できるものであってもよく、あるいは、両方の機能を備えるものであってもよい。
【００３７】
観察光学系の最も被検眼の側には、対物レンズが設けられている。そして、本発明の前置レンズ装置は、対物レンズと被検眼の間に、少なくとも２つの前置レンズを入れ替え可能に挿入・離脱することができる装置である。
眼科用顕微鏡本体と前置レンズ装置とは一体化していてもよく、また、眼科用顕微鏡本体に、アタッチメント部を介して、前置レンズ装置を容易に着脱可能とできるものであってもよい。
【００３８】
前記のとおり、眼科用顕微鏡は、対物レンズと被検眼の間の観察光学系の光路上に前置レンズを挿脱して、前眼部（例えば角膜、前嚢、強膜等）の観察と、後眼部（例えば網膜）の観察とを切り替えることができる。
図４は、前置レンズを挿脱して前眼部観察と後眼部観察を切り替えた時の、対物レンズと被検眼との距離の関係を示す模式図である。
前眼部観察に際しては、図４（Ａ）に示すように、観察光学系の対物レンズ１３よりも被検眼１１側にある焦点位置（前側焦点位置）Ｕ０に、被検眼１１の前眼部が位置するように、対物レンズ１３と被検眼１１の間の距離Ｈ２を設定する。観察光学系の対物レンズ１３からの焦点距離をＦ１とすると、Ｈ２＝Ｆ１となる。
一方、後眼部観察に際しては図４（Ｂ）に示すように、対物レンズ１３と被検眼１１との間の距離Ｈ２´をより長く設定し、前側焦点位置Ｕ０と被検眼１１との間に前置レンズ６を配置する。前置レンズ６は、観察光学系の光を平行光として被検眼の水晶体１１ｂに導き、水晶体１１ｂを介して網膜１１ａに焦点を結ぶように配置される。前置レンズ６の焦点距離をＦ２とすると、典型的には、Ｈ２´≒Ｆ１＋２×Ｆ２である。
【００３９】
図４（Ａ）における対物レンズ１３と被検眼１１との距離Ｈ２と、図４（Ｂ）における対物レンズ１３と被検眼１１との距離Ｈ２´とを比較すれば明らかなように、前置レンズ６を挿入する場合には、対物レンズ１３と被検眼１１との距離を長くする必要があり、前置レンズの挿入・離脱を行うたびに、眼科用顕微鏡本体を光軸に沿って上下に移動させる必要がある。眼科用顕微鏡本体の上下の移動は、手動又は自動により行うこともできるが、前置レンズの挿入・離脱を行うために移動を行うことは煩雑である。
そこで、前眼部観察を行う際には、図４（Ｃ）に示すように、前置レンズを光路から離脱させるとともに、凹レンズからなる対物補助レンズ１７を光路上に挿入することにより、焦点距離を長くしてＨ２´に一致させる。そして、後眼部観察を行う際には、図４（Ｂ）に示されるように、対物補助レンズ１７を光路から離脱させるとともに、前置レンズ６を光路上に挿入する。このように対物補助レンズ１７を用いることで、前眼部観察と後眼部観察のいずれを行う場合でも対物レンズ１３と被検眼１１との間の距離はＨ２´となり、眼科用顕微鏡本体を上下に移動させる必要がなくなる。
【００４０】
したがって、本発明の眼科用顕微鏡においては、観察光学系の対物レンズよりも被検眼側にある焦点位置を調整するために使用する対物補助レンズを有することが好ましい。
ここで、対物補助レンズは、焦点距離を長くすることができるマイナスのパワーを有するレンズであることが好ましい。マイナスのパワーを有するレンズは、通常、凹レンズとも呼ばれるレンズである。
また、本発明の眼科用顕微鏡においては、前置レンズの挿入又は離脱に連動して、対物補助レンズを自動的に挿入又は離脱させることができる切り替え機構を有することが好ましい。
【００４１】
図５は、前置レンズの屈折力が異なる場合における、対物レンズと被検眼との距離の関係を示す模式図である。
図５（Ａ）は、後眼部観察にあたり、前置レンズ６を光路上に挿入した状態を示す図であり、図４（Ｂ）と同じ位置関係となっている。図５（Ａ）では、対物レンズ１３と前置レンズ６との間の距離をＨ１´で示している。また、前置レンズ６の屈折力はＤである。
一方、図５（Ｂ）は、同じ後眼部観察において、前置レンズ６を、屈折力のより大きな前置レンズ６´´に入れ替えた状態を示している。前置レンズ６´´の屈折力はＤ´´である。
【００４２】
前置レンズ６，６´´の焦点距離は、レンズの屈折力の逆数から求めることができる長さであるから、図５（Ａ）における前置レンズ６の焦点距離Ｆ２よりも、図５（Ｂ）における前置レンズ６´´の焦点距離Ｆ２´´の方が短くなる。図５（Ａ）と図５（Ｂ）を比較すれば明らかなように、対物レンズ１３と前置レンズ６，６´´の間の距離Ｈ１´，Ｈ１´´は、焦点距離の短い（屈折力の大きい）前置レンズ６´´を用いた図５（Ｂ）の場合の方が、図５（Ａ）の場合よりも短くする必要がある。また、対物レンズ１３と被検眼１１の間の距離Ｈ２´，Ｈ２´´も、焦点距離の短い（屈折力の大きい）前置レンズ６´´を用いた図５（Ｂ）の場合の方が、図５（Ａ）の場合よりも短くする必要がある。
したがって、前置レンズを入れ替えた場合には、対物レンズと前置レンズの間の距離を調整する必要があるのと同時に、眼科用顕微鏡本体を上下に移動させて、対物レンズと被検眼の間の距離も調整する必要がある。
【００４３】
そこで、前置レンズを入れ替えた場合には、図５（Ｃ）に示すように、凹レンズからなる対物補助レンズ１７を光路上に挿入することにより、焦点距離を長くして、Ｆ１´´´＝Ｈ２´−２×Ｆ２´´となるようにする。そうすると、対物レンズ１３と被検眼１１との距離は、Ｈ２´と一致することとなる。これにより、前置レンズを入れ替えた場合でも、対物レンズ１３と被検眼１１との間の距離はＨ２´のままでよいこととなり、顕微鏡本体を上下に移動させる必要がなくなる。
ただし、対物レンズ１３と前置レンズの間の距離は、前置レンズ６を用いる場合にはＨ１´とし、前置レンズ６´´を用いた場合にはＨ１´´´となるように調整する必要がある。ここで、前記のとおり、前置レンズを、それぞれ対物レンズとの距離が異なるように前置レンズ支持体に取り付けることにより、前置レンズの入れ替えに伴う前置レンズの位置の調整も不要とすることが可能である。
【００４４】
さらに、前置レンズを、屈折力のさらに大きな第３の前置レンズに入れ替えた場合には、それに対応した第３の対物補助レンズを用いることにより、対物レンズと被検眼との距離を一定にすることができる。
したがって、本発明の眼科用顕微鏡においては、少なくとも３つの前置レンズを入れ替えて使用するにあたり、焦点距離の調整を行うための対物補助レンズを少なくとも３つ有することが好ましい。また、前置レンズをｎ個（ｎ≧３）有する場合には、ｎ個以上の対物補助レンズを有することが好ましい。
そして、前置レンズ装置においては、前置レンズの焦点距離の長さの違いの分だけ、観察光学系の光軸方向の位置をずらして、各前置レンズを配置することが好ましい。
以下、前置レンズ装置と対物補助レンズを使用する本発明の眼科用顕微鏡の実施形態の１つの例を、図面を参照しながら詳細に説明する。
【００４５】
＜第３の実施形態＞
図６〜１１は、本発明の第３の実施形態を模式的に示す図面である。
図６は、眼科用顕微鏡２の側面模式図であり、図７は同じく正面模式図であり、それぞれ被検眼１１の前眼部（例えば角膜、前嚢、強膜等）を観察する様子を示している。また、図８（Ａ）に、図６及び図７の眼科用顕微鏡の観察光学系３００（対物補助レンズが対物レンズの被検眼側に設けられる観察光学系）の模式図を示す。
図６に示すように、眼科用顕微鏡２は、観察光学系３００のほか照明光学系１８００（図７には示していない）を備えている。
観察光学系３００は、観察対象（図６及び図７では被検眼１１）を観察することができる。図６に参照されるように、照明光学系１８００は、被検眼１１の観察すべき部分を照明することができる。
図６及び図７では、観察光学系は、被検眼１１よりも手前に前側焦点位置Ｕ０を有している。
【００４６】
図７に明示されるように、観察光学系３００は、右眼用観察光学系３００Ｒと左眼用観察光学系３００Ｌを有している。なお、図６では、右眼用観察光学系３００Ｒについては全構成が示され、左眼用観察光学系３００Ｌについては右眼用観察光学系３００Ｒと共用される対物レンズ１３のみが示されている。
図７において、前置レンズ６は１つだけ図示しているが、実際には、前置レンズ装置により少なくとも３つの前置レンズが入れ替え可能に保持されている。
また、図７に明示されるように、右眼用観察光学系３００Ｒの光軸Ｏ−３００Ｒと左眼用観察光学系３００Ｌの光軸Ｏ−３００Ｌは、それぞれ対物レンズ１３を通過している。
本実施形態では、照明光学系１８００と、観察光学系３００は、眼科用顕微鏡本体１２に収納されている。図６及び図７においては、眼科用顕微鏡本体１２を一点鎖線で示す。
【００４７】
図６に示した照明光学系１８００は、照明光源１９、光ファイバ１８０１、出射光絞り１８０２、コンデンサレンズ１８０３、照明野絞り１８０４、コリメートレンズ１８０５及び反射ミラー１８０６を含んで構成されている。照明光学系１８００の光軸をＯ−１８００で示す。
図６に示されるように照明光源１９は、本実施形態では眼科用顕微鏡本体１２の外部に設けられている。照明光源１９には光ファイバ１８０１の一端が接続されている。光ファイバ１８０１の他端は、眼科用顕微鏡本体１２の出射光絞り１８０２に臨む位置に配置されている。照明光源１９から出射された照明光は、光ファイバ１８０１により導光され、出射光絞り１８０２を介してコンデンサレンズ１８０３に入射する。
出射光絞り１８０２は、光ファイバ１８０１の出射口の一部領域を遮断するように作用する。出射光絞り１８０２による遮断領域が変更されると、照明光の出射領域が変更される。それにより、照明光による照射角度、つまり被検眼１１に対する照明光の入射方向と対物レンズ１３の光軸とがなす角度を変更することができる。
【００４８】
照明野絞り１８０４は、対物レンズ１３の前側焦点位置Ｕ０と光学的に共役な位置（×の位置）に設けられている。コリメートレンズ１８０５は、照明野絞り１８０４を通過した照明光を平行光束にする。反射ミラー１８０６は、コリメートレンズ１８０５によって平行光束にされた照明光を対物レンズ１３に向けて反射する。反射ミラー１８０６により反射された光は、対物レンズ１３を透過して、被検眼１１に照射される。
被検眼１１に照射された照明光は、網膜の組織で反射・散乱される。その反射・散乱した戻り光（「観察光」とも呼ばれる）は、対物レンズ１３を透過して、観察光学系３００に入射する。
【００４９】
観察光学系３００は、照明光学系１８００により照明されている被検眼１１を、対物レンズ１３を介して観察するために用いられる。
図６及び図７に示されるように、変倍レンズ系３０１（レンズ３０１ａ，３０１ｂ，３０１ｃ）、ビームスプリッタ３０２（テレビカメラ表示用の画像情報を取得するためのビームスプリッタ）、結像レンズ３０３、像正立プリズム３０４、眼幅調整プリズム３０５、視野絞り３０６、及び接眼レンズ３０７を含んで構成されている。観察光学系３００の光軸を、Ｏ−３００で示す。
【００５０】
図７に示されるように、右眼用観察光学系３００Ｒのビームスプリッタ３０２は、被検眼１１から右眼用観察光学系に沿って導光された観察光の一部を分離して撮影光学系２０００に導く。撮影光学系２０００は、結像レンズ２００１、反射ミラー２００２、及びテレビカメラ２００３を含んで構成されている。テレビカメラ２００３が取得した画像情報は図示しないモニターに送られて表示される。
【００５１】
図６及び図７に示されるように、像正立プリズム３０４は、倒像を正立像に変換する。眼幅調整プリズム３０５は、観察者の眼幅（左眼と右眼の間の距離）に応じて左右の観察光路の間の距離を調整するための光学素子である。視野絞り３０６は、観察光の断面における周辺領域を遮断して観察者の視野を制限するものである。視野絞り３０６は、対物レンズ１３の前側焦点位置Ｕ０と共役な位置（×の位置）に設けられている。
右眼用観察光学系３００Ｒ，左眼用観察光学系３００Ｌは、光路から挿脱可能に構成されたステレオバリエータを含んで構成されてもよい。ステレオバリエータは、左右の変倍レンズ系３０１によってそれぞれ案内される左右の観察光学系の光軸Ｏ−３００Ｌ，Ｏ−３００Ｒの相対的位置を変更するための光軸位置変更素子である。ステレオバリエータは、例えば、観察光路に対して観察者側に設けられた退避位置に退避される。
【００５２】
図６及び図７の眼科用顕微鏡２では、観察光学系は、対物レンズ１３と被検眼１１との間にレンズが存在しない場合には、被検眼１１よりも手前に前側焦点位置（Ｕ０で示す）を有している。眼科用顕微鏡２では、対物レンズ１３の被検眼１１側に対物補助レンズ１７が備えられている。
対物補助レンズ１７は、前側焦点位置Ｕ０と対物レンズ１３との間の対物レンズ１３寄りの位置にセットされ、又は当該位置からリリースできる。対物補助レンズ１７は、セットしたときの合焦点が被検眼の前眼部位置である第１の焦点（Ｕ１）となるように選ばれている。
なお、図８（Ａ）では、被検眼１１の前眼部を観察する際の観察光学系において対物補助レンズ１７が対物レンズ１３の被検眼１１側に設けられる場合を示している。本発明では、図８（Ｂ）に示すように、対物補助レンズ１７を対物レンズ１３の被検眼１１側とは反対側に設け被検眼１１の前眼部を観察することもできる。
【００５３】
図９は、図６及び図７で説明した装置において被検眼１１の後眼部（例えば網膜）を観察する様子を示す図６に対応する側面図である。また、図１０は、同じく図７に対応する正面図であり、図１１（Ａ）は同じく図８（Ａ）に対応する模式図である。
図９及び図１０において、前置レンズ６は、前側焦点位置Ｕ０よりも被検眼１１側の位置にセットされており、セットされたときの被検眼１１の水晶体を介した焦点（第２の焦点Ｕ２）は、被検眼１１の網膜の位置（後眼部位置）に設定されている。また、対物補助レンズ１７は、観察光学系の光路上からリリースされている。
なお、対物補助レンズ１７を対物レンズ１３の被検眼１１側とは反対側に設けた場合にも（図８（Ｂ）参照）、被検眼１１の後眼部を観察するときには、図１１（Ｂ）に示すように対物補助レンズ１７をリリースする必要がある。
【符号の説明】
【００５４】
１              ：前置レンズ装置
２              ：眼科用顕微鏡
３００          ：観察光学系
３００Ｒ        ：右眼用観察光学系
３００Ｌ        ：左眼用観察光学系
３０１          ：変倍レンズ系
３０２          ：ビームスプリッタ
３０３          ：結像レンズ系
３０４          ：像正立プリズム
３０５          ：眼幅調整プリズム
３０６          ：視野絞り
３０７          ：接眼レンズ
４              ：回転アーム，回転軸
５              ：前置レンズ支持体
５１１〜５１４  ：前置レンズ支持枠
５２１，５２２  ：ジョイント部
６０１〜６０６  ：前置レンズ
１００１        ：駆動モータ
１００２        ：支持アーム
１００３        ：旋回軸
１００４        ：支持ブラケット
１００５        ：旋回レバー
１００６        ：連結アーム
１００７        ：前置レンズ位置調整機構
１１            ：被検眼
１１ａ          ：網膜
１１ｂ          ：水晶体
１２            ：眼科用顕微鏡本体
１３            ：対物レンズ
１４            ：鏡筒
１５            ：インバータ部
１６            ：切り替えレバー
１７，１７´´´：対物補助レンズ
１８００        ：照明光学系
１８０１        ：光ファイバ
１８０２        ：出射光絞り
１８０３        ：コンデンサレンズ
１８０４        ：照明野絞り
１８０５        ：コリメートレンズ
１８０６        ：反射ミラー
１９            ：照明光源
２０００        ：撮影光学系
２００１        ：結像レンズ
２００２        ：反射ミラー
２００３        ：テレビカメラ
Ｆ１，Ｆ１´，Ｆ１´´´  ：対物レンズからの焦点距離
Ｆ２，Ｆ２´´  ：前置レンズの焦点距離
Ｈ１´，Ｈ１´´，Ｈ１´´´  ：対物レンズと前置レンズとの距離
Ｈ２，Ｈ２´，Ｈ２´´  ：対物レンズと被検眼との距離
Ｏ−３００      ：観察光学系の光軸
Ｏ−３００Ｒ    ：右眼用観察光学系の光軸
Ｏ−３００Ｌ    ：左眼用観察光学系の光軸
Ｏ−１８００    ：照明光学系の光軸
Ｕ０            ：前側焦点位置
Ｕ１            ：第１の焦点
Ｕ２            ：第２の焦点
【図１】
2019066810.tif 000003
【図２】
2019066810.tif 000004
【図３】
2019066810.tif 000005
【図４】
2019066810.tif 000006
【図５】
2019066810.tif 000007
【図６】
2019066810.tif 000008
【図７】
2019066810.tif 000009
【図８】
2019066810.tif 000010
【図９】
2019066810.tif 000011
【図１０】
2019066810.tif 000012
【図１１】
2019066810.tif 000013
【図１２】
2019066810.tif 000014